(57)【要約】【課題】  線香を安定的に保持しつつ、線香の火がすぐ消えてしまうことのない横置き型の香炉を提供すること。【解決手段】  香炉１は、線香の端部を上から支え、線香の重心から当該端部側に寄った位置を下から支えて、二点支持により線香を寝かせて保持する。すなわち、灰を受ける香炉皿２と、香炉皿２の縁から延伸し、線香の端部を上から支える線香受３と、香炉皿２から立設し、線香の重心から端部側へ寄った位置で線香を下から支える仕切板４と、を備え線香を寝かせて燃焼させることを可能とした。これにより、線香を他のものに触れさせずに寝かせたまま燃焼させ続けることができる。また、線香の回転移動を防ぐ。従って、線香を無駄なく安全に燃焼させ続けることが可能となる。【選択図】図１
2006026132.tif 000002
【特許請求の範囲】
【請求項１】
線香の端部を上から支え、線香の重心から当該端部側に寄った位置を下から支えて、二点支持により線香を寝かせて保持することを特徴とする香炉。
【請求項２】
灰を受ける灰受体と、
灰受体の縁から延伸し、線香の端部を上から支える第一支持体と、
灰受体から立設し、線香の重心から前記端部側へ寄った位置で線香を下から支える第二支持体と、
を備え線香を寝かせて燃焼させることを可能としたことを特徴とする香炉。
【請求項３】
前記灰受体を底面と側面とを有する箱体とし、前記第二支持体の巾を側面間の巾として当該第二支持体を底面から立設させたことを特徴とする請求項２に記載の香炉。
【請求項４】
第二支持体をスライド可能にしたことを特徴とする請求項２または３に記載の香炉。
【請求項５】
前記箱体を一枚の金属板を用いて形成し、前記第一支持体を、一側面を構成する板面をさらに折り曲げて一体的に形成したことを特徴とする請求項３または４に記載の香炉。
【請求項６】
第二支持体を、金属板の一辺の少なくとも一カ所に切れ込みを入れて互い違いに折り曲げて立設可能に形成したことを特徴とする請求項２〜５の何れか一つに記載の香炉。
【請求項７】
前記第一支持体と前記第二支持体の少なくとも一方を鋸歯型、波形、円弧型としたことを特徴とする請求項２〜６の何れか一つに記載の香炉。
【請求項８】
灰受体下部に、同形の二枚の平板を立設し脚部を形成したことを特徴とする請求項２〜７の何れか一つに記載の香炉。
【発明の詳細な説明】
【技術分野】
【０００１】
本発明は香炉に関し、特に、線香を横に寝かせて使用する香炉に関する。
【背景技術】
【０００２】
従来、横に寝かせる香炉として図７に示すようなものが知られている。図示したように、香炉の上部に網が張ってあり、火のついた線香を網の上に載置する。
【０００３】
【特許文献１】特開２００３−２１０３１１公報
【発明の開示】
【発明が解決しようとする課題】
【０００４】
しかしながら、従来の技術では以下の問題点があった。
すなわち、従来の横置き型香炉は、下に網が張ってあるので火がすぐ消えて、線香がほとんど燃え残ってしまうという問題点があった。
【０００５】
また、線香の束のように多数の線香を載置する場合には、風が吹いたときやバランスが崩れたときなど線香が外に転がり落ちて火事の危険があるという問題点があった。
【０００６】
本発明は上記に鑑みてなされたものであって、線香を安定的に保持しつつ、線香の火がすぐ消えてしまうことのない横置き型の香炉を提供することを目的とする。
【課題を解決するための手段】
【０００７】
上記の目的を達成するために、請求項１に記載の香炉は、線香の端部を上から支え、線香の重心から当該端部側に寄った位置を下から支えて、二点支持により線香を寝かせて保持することを特徴とする。
【０００８】
すなわち、請求項１にかかる発明は、線香を他のものに触れさせずに寝かせたまま燃焼させ続けることができる。また、線香の回転移動を防ぐ。これにより、線香を無駄なく安全に燃焼させ続けることが可能となる。なお、香炉は、線香を燃焼させる器を意味し、線香台、線香立てと同義である。なお、「寝かせる」とは、必ずしも水平を意味するものでなく、「立てている」状態でない状態をいう。
【０００９】
また、請求項２に記載の香炉は、灰を受ける灰受体と、灰受体の縁から延伸し、線香の端部を上から支える第一支持体と、灰受体から立設し、線香の重心から前記端部側へ寄った位置で線香を下から支える第二支持体と、を備え線香を寝かせて燃焼させることを可能としたことを特徴とする。
【００１０】
すなわち、請求項２にかかる発明は、線香を他のものに触れさせずに寝かせたまま燃焼させ続けることができる。また、線香の回転移動を防ぐ。これにより、線香を無駄なく安全に燃焼させ続けることが可能となる。なお、灰受体は、灰を受けることができれば特に形状に限定はなく、次に述べるように箱型としても良いし、楕円形のようにしても良い。また、灰を受けることができるように中が窪んだ形状であることが好ましい。
【００１１】
また、請求項３に記載の香炉は、請求項２に記載の香炉において、前記灰受体を底面と側面とを有する箱体とし、前記第二支持体の巾を側面間の巾として当該第二支持体を底面から立設させたことを特徴とする。
【００１２】
すなわち、請求項３にかかる発明は、箱体と第二支持体とで囲われた空間に灰を受け、灰の飛散を防止できる。
【００１３】
また、請求項４に記載の香炉は、請求項２または３に記載の香炉において、第二支持体をスライド可能にしたことを特徴とする。
【００１４】
すなわち、請求項４にかかる発明は、第一支持体と第二支持体の間隔を調整可能となる。これにより、例えば、法事のように線香を束ねて据える場合であっても簡便に差し込み保持可能となる。
【００１５】
また、請求項５に記載の香炉は、請求項３または４に記載の香炉において、前記箱体を一枚の金属板を用いて形成し、前記第一支持体を、一側面を構成する板面をさらに折り曲げて一体的に形成したことを特徴とする。
【００１６】
すなわち、請求項５にかかる発明は、第一支持体を簡便に形成できる。これにより、香炉の製造コストを下げることができる。
【００１７】
また、請求項６に記載の香炉は、請求項２〜５の何れか一つに記載の香炉において、第二支持体を、金属板の一辺の少なくとも一カ所に切れ込みを入れて互い違いに折り曲げて立設可能に形成したことを特徴とする。
【００１８】
すなわち、請求項６にかかる発明は、自立かつスライド可能な第二支持体を簡便に形成できる。これにより、香炉の製造コストを下げることができる。
【００１９】
また、請求項７に記載の香炉は、請求項２〜６の何れか一つに記載の香炉において、前記第一支持体と前記第二支持体の少なくとも一方を鋸歯型、波形、円弧型としたことを特徴とする。
【００２０】
すなわち、請求項７にかかる発明は、線香と第一支持体または第二支持体との摩擦を大きくすることができる。これにより、線香をより安定的に保持可能となる。各形状を組みあわせてもよい。
【００２１】
また、請求項８に記載の香炉は、請求項２〜７の何れか一つに記載の香炉において、灰受体下部に同形の二枚の平板を立設し脚部を形成したことを特徴とする。
【００２２】
すなわち、請求項８にかかる発明は、二枚の平板がフィンの役割を果たし、熱の拡散効率を高める。これにより、安全性のより高い香炉を提供可能となる。
【発明の効果】
【００２３】
以上説明したように、本発明（請求項１および請求項２）によれば、線香を他のものに触れさせずに寝かせたまま燃焼させ続けることができる。また、線香の回転移動を防ぐ。これにより、線香を安定的に保持しつつ、線香の火がすぐ消えてしまうことのない横置き型の香炉を提供することが可能となる。
【００２４】
また、本発明（請求項３）によれば線香の回転移動を防ぐ。また、本発明（請求項３）によれば、箱体と第二支持体とで囲われた空間に灰を受け、灰の飛散を防止できる。
【００２５】
また、本発明（請求項４）によれば、第一支持体と第二支持体の間隔を調整可能となるので、線香の量に応じた間隔調整が可能となる。また、線香の傾きを調整可能となる。
【００２６】
また、本発明（請求項５）によれば、安価な香炉を提供可能となる。同様に、本発明（請求項６）によれば、安価な香炉を提供可能となる。
【００２７】
また、本発明（請求項７）によれば、線香と第一支持体または第二支持体との摩擦を大きくすることができるので、線香をより安定的に保持可能となる。
【発明を実施するための最良の形態】
【００２８】
以下、本発明の実施の形態を図面を参照しながら詳細に説明する。
図１は、本発明の香炉の一実施の形態を示した外観斜視図である。図２は、図１に示した香炉に置く仕切板の外観斜視図である。香炉１は、上部が開口した箱状の香炉皿２と、短手側面から延伸した線香受３と、香炉皿２の底面をスライド可能な仕切板４と、二枚の薄い平板状の脚６（片方は陰に隠れるため図示せず）と、からなる。線香受３の端部と仕切板４の上部は、ギザギザに加工してある。従って、線香は、線香受３と仕切板４によって上下から２点支持され、かつギザギザ部分によって保持され、転がることなく、略水平に寝かせて保持することが可能となる。
【００２９】
なお、仕切板４は、足５がついており、香炉皿２の底面に安定的に立たせることができ、かつ、香炉皿２の長手方向に自由にスライドさせることが出来るようにしている。なお、線香を支持するに当たっては、仕切板４を線香の重心より線香受３側に寄った位置とすることが好ましい。このように配置すれば、線香の燃焼部分の長さを長くすることができ、また、安定的に支持ないし保持可能となる。
【００３０】
なお、二点支持の高さは、仕切板４を線香受３より同等以上の高さとすることが好ましい。これにより、仕切板４と線香受３の間隔が狭くなるほど線香との接触部分にかかる力が大きくなり保持力が高まる。
【００３１】
以上の例では、線香受３の端部と仕切板４の上部がギザギザに加工された場合であるが、これに限らず、例えば、図３に示したように、波形（図３（ａ））、円弧型（図３（ｂ））、Ｕ字型（図３（ｃ））、円弧型（図３（ｄ））、もしくはこれらを組みあわせたり、大きさを違えたりしたものを用いても良い。例えば、円弧型を採用すれば、線香の量が多い場合に特に全体的に保持され好適である。図４に、円弧型を採用した使用例を示す。図示したように、線香が全体的に保持されている様子が分かる。
【００３２】
香炉１の素材は、不燃性であれば特に限定されないが、板金を用いると加工が容易であり製造コストを低減させることができる。図５は、香炉１の展開図である。加工に際しては、この一枚板を展開図に即して打ち抜き、折り曲げるだけで製造可能となる。なお、脚６については、別途接合することにより脚つき香炉とすることができる。図１または図４に示したように、金属平板の脚を設ければ、フィンの役割を果たし、放熱効果が高まる。特に、本発明では、燃焼時間を長くすることができるので、フィン状の脚６を設ければより安全性が高まることとなる。
【００３３】
なお、本発明の香炉は箱形に限定されない。二点支持するものであれば、例えば、図６に示したような、楕円形の皿型としても良い。このとき、仕切り板も固定し陶器で製造することもできる。
【産業上の利用可能性】
【００３４】
本発明を利用して、直線状の蚊取り線香を焚くこともできる。仕切板の位置を調整することにより、燃焼時間を調整可能となる利点を有する。
【図面の簡単な説明】
【００３５】
【図１】本発明の香炉の一実施の形態を示した外観斜視図である。
【図２】図１に示した香炉に置く仕切板の外観斜視図である。
【図３】線香受または仕切板の線香支持部の形状を示した説明図である。
【図４】円弧状の支持部を用いて線香を束ねて使用する際の様子を示した説明図である。
【図５】本実施の形態の香炉の展開図である。
【図６】本発明の香炉の他の実施の形態を示した外観斜視図である。
【図７】横に寝かせる従来の香炉の例を示した図である。
【符号の説明】
【００３６】
１        香炉
２        香炉皿
３        線香受
４        仕切板
５        足
【図１】
2006026132.tif 000003
【図２】
2006026132.tif 000004
【図３】
2006026132.tif 000005
【図４】
2006026132.tif 000006
【図５】
2006026132.tif 000007
【図６】
2006026132.tif 000008
【図７】
2006026132.tif 000009